(57)【要約】【課題】  簡単な構造で、針溝への挿入時などに、ブレードの尾端部が振れて、尾部などが幅方向に曲って損傷を受けることがない、横編機の複合針を提供する。【解決手段】  （ａ）に示すスライダー基体１５は、二枚のブレード１６，１７との結合状態で、案内突起１６ｄよりも後方に、針本体１３側に垂下する垂下部１５ａを有する。垂下部１５ａには、下部に、厚みの中間で前後方向に延びる溝１５ｂが設けられる。各ブレード１６，１７は、スライダー基体１５の垂下部１５ａの溝１５ｂに係合する尾端部１６ｆ，１７ｆを有する。垂下部１５ａに設ける溝１５ｂにブレード１６，１７の尾端部１６ｆ，１７ｆを係合させる簡単な構造で、尾部１６ｃ，１７ｃに対し、幅方向への振れを規制することができ、針溝への挿入時などに、ブレード１６，１７などが幅方向に曲って損傷を受けないようにすることができる。【選択図】図１
2013241698.tif 000002
【特許請求の範囲】
【請求項１】
横編機の針床に並設される針溝に、底面側となる下方には針本体、および表面側となる上方にはスライダーが、それぞれ配置されるように組合わされた状態の編針として収容され、
針本体は、前部のフックが歯口に進退するように、針溝に沿って前後方向に往復移動可能であり、
スライダーは、スライダー基体と二枚のブレードとが結合部で結合され、針本体に対する前後方向の相対移動が可能である、
横編機の複合針において、
スライダー基体に結合された二枚のブレードは、結合部よりも後方の尾部のうちの少なくとも一方から下方に突出する案内突起を有し、
針本体には、案内突起が係合する溝が設けられ、
スライダー基体は、二枚のブレードとの結合状態で、案内突起よりも後方から針本体側に垂下する垂下部を有し、
垂下部には、下部に、厚みの中間で前後方向に延びる溝が設けられ、
各尾部は、垂下部の溝に係合する尾端部を有する、
ことを特徴とする横編機の複合針。
【請求項２】
前記スライダー基体と前記二枚のブレードとの結合部では、
二枚のブレードに、スライダー基体側に開口し、前後方向の両端から下方に延びる側壁を有し、側壁間の幅が開口端の幅よりも狭い狭幅部分が設けられる凹部が備えられ、
スライダー基体に、前後方向の幅が凹部の狭幅部分よりも広い広幅部分が設けられ、凹部に上方から挿入されて結合し、挿入の途中で、弾性変形で広幅部分が凹部の狭幅部分を通過可能となる凸部が備えられ、
凸部には、厚みの中間に溝が設けられ、凹部が溝に挿入される、
ことを特徴とする請求項１記載の横編機の複合針。
【請求項３】
前記スライダー基体には、前記凸部の溝および前記垂下部の溝とともに、前記二枚のブレードで前記結合部の前方となる中間部を収容する溝が、前記針溝の下方に開口して形成されている
ことを特徴とする請求項２記載の横編機の複合針。
【発明の詳細な説明】
【技術分野】
【０００１】
本発明は、横編機の針床に形成される針溝に収容され、フックをスライダーで開閉する横編機の複合針に関する。
【背景技術】
【０００２】
従来から、横編機では、針床に編針を収容する空間としての針溝を形成している。編針としては、複合針１を使用する場合がある（たとえば特許文献１参照）。横編機では、図示を省略しているけれども、歯口を挟む前後に一対の針床が設けられ、各針床に、多数の針溝が並設される。複合針１は、針本体３とスライダー４とが、針本体３が針溝の底面側となる下方に、スライダー４が針溝の表面側となる上方に、それぞれ配置されるように組合わされる。針本体３は、前部のフック３ａが歯口に進退するように、針溝に沿って前後方向に往復移動可能である。スライダー４は、スライダー基体５と二枚のブレード６，７との組合せであり、針本体３に対する前後方向の相対移動が可能である。
【０００３】
各ブレード６，７は、針本体３に対する相対移動で、フック３ａを幅方向の両側から挟むように開閉するタング６ａ，７ａを前部に有して、後部に設けられる結合部８でスライダー基体５に結合される。図では、タング６ａ，７ａによって、フック３ａが閉じられている。タング６ａ，７ａが後退すると、フック３ａは開く。また、タング６ａ，７ａがさらに前進すると、フック３ａを越えて歯口に進出し、目移しなどが可能になる。
【０００４】
結合部８では、スライダー基体５と二枚のブレード６，７とがかしめ等によって固定される。二枚のブレード６，７は、前端のタング６ａ，７ａの後部に案内部６ｂ，７ｂを有し、針本体３に設ける溝３ｂに嵌合して案内される。針本体３の尾端部には、ジャック９の先端部が連結されて、連結部１０が形成されている。スライダー基体５には、垂下部５ａが設けられ、結合部８よりも前方から、ブレード６，７の尾部６ｃ，７ｃまでの範囲で、底面が針本体３の上面に摺接する。垂下部５ａの下部には、一側方、図では手前に開口して前後方向に延びる側壁溝５ｂが設けられ、ブレード６，７の尾部６ｃ，７ｃを収容する。手前側の尾部６ｃは、中間部分が側壁溝５ｂの表面から手前側に膨らむように曲げられており、針溝の側壁に摺接して摺動抵抗を発生させる。
【０００５】
スライダー４としては、結合部８よりも後方で、垂下部５ａの下面から下方に突出する案内突起５ｃを設け、案内突起５ｃを針本体３に設ける溝３ｃと係合させ、複合針１を針溝に挿入する際などに、幅方向への脱落を防止する。特許文献１の図１５には、案内突起５ｃに相当する部分を、側壁溝５ｂの奥側に収容するブレード７に設け、その部分の側壁溝５ｂは下方に開口させる例も示されている。
【０００６】
スライダー基体５とブレード６，７との結合を、スライダー基体の厚みの中間に、下方に開口して前後方向に延びる長手溝を設けて行う技術も知られている（たとえば、特許文献２参照）。ブレード６，７には、前後方向に延びて長手溝に収容される部分から上方に突出するバットが設けられ、スライダー基体には長手溝の上部に、バットが嵌合する凹所が設けられる。バットを凹所に嵌合させた状態で、バットをかしめることによって、強固な結合がなされる。
【先行技術文献】
【特許文献】
【０００７】
【特許文献１】特許第２９４６３２３号公報
【特許文献２】特許第２７４７４５７号公報
【発明の概要】
【発明が解決しようとする課題】
【０００８】
図６に示すような複合針１は、編針としての配置が高密度になるファインゲージになるほど、針溝の幅が小さくなり、収容可能なスライダー基体５の厚みも薄くなる。スライダー基体５の厚みが小さくなると、特許文献１のような側壁溝５ｂを伴う結合部８や、特許文献２のような長手溝を伴う結合部を形成することは困難となる。特許文献１では、摺動抵抗を発生させるために、尾部６ｃ，７ｃを結合部８よりも後方に延ばしている。摺動抵抗を発生させない特許文献２の場合でも、ブレード６，７に相当する部分は、バットよりも後方まで延ばしている。ブレード６，７は、結合部８での強度を保つためなどの理由で、尾部１６ｃ，１７ｃをある程度の長さまで延ばす必要がある。
【０００９】
スライダー基体５の厚みが薄くなると、垂下部５ａのようなスライダー基体５から針本体３の上面まで垂下する部分に案内突起５ｃを設けることも困難になるので、案内突起５ｃに相当する部分は、ブレード６，７の尾部６ｃ，７ｃに設けることが考えられる。
【００１０】
しかしながら、側壁溝５ｂや長手溝に収容されないで露出する尾部６ｃ，７ｃは、結合部８に相当する部分でスライダー基体５によって支持されている片持ち状態であり、横方向の力を受けて尾端部が振れやすい。複合針１が針溝に収容されれば、横方向への曲りは針溝の幅で制限されるけれども、複合針１を針溝へ挿入する際には制限を受けないので、尾部６ｃ，７ｃが幅方向の外方に曲がるおそれがある。ファインゲージになるほど、ブレード６，７の厚みも薄くなるので曲がりやすくなり、特に案内突起５ｃに相当する部分を設ける場合は、その部分を含む尾部６ｃ，７ｃなどが損傷を受けるおそれがある。
【００１１】
本発明の目的は、簡単な構造で、針溝への挿入時などに、ブレードの尾端部が振れて、尾部などが幅方向に曲って損傷を受けることがない、横編機の複合針を提供することである。
【課題を解決するための手段】
【００１２】
本発明は、横編機の針床に並設される針溝に、底面側となる下方には針本体、および表面側となる上方にはスライダーが、それぞれ配置されるように組合わされた状態の編針として収容され、
針本体は、前部のフックが歯口に進退するように、針溝に沿って前後方向に往復移動可能であり、
スライダーは、スライダー基体と二枚のブレードとが結合部で結合され、針本体に対する前後方向の相対移動が可能である、
横編機の複合針において、
スライダー基体に結合された二枚のブレードは、結合部よりも後方の尾部のうちの少なくとも一方から下方に突出する案内突起を有し、
針本体には、案内突起が係合する溝が設けられ、
スライダー基体は、二枚のブレードとの結合状態で、案内突起よりも後方から針本体側に垂下する垂下部を有し、
垂下部には、下部に、厚みの中間で前後方向に延びる溝が設けられ、
各尾部は、スライダー基体の垂下部の溝に係合する尾端部を有する、
ことを特徴とする横編機の複合針である。
【００１３】
また本発明で、前記スライダー基体と前記二枚のブレードとの結合部では、
二枚のブレードに、スライダー基体側に開口し、前後方向の両端から下方に延びる側壁を有し、側壁間の幅が開口端の幅よりも狭い狭幅部分が設けられる凹部が備えられ、
スライダー基体に、前後方向の幅が凹部の狭幅部分よりも広い広幅部分が設けられ、凹部に上方から挿入されて結合し、挿入の途中で、弾性変形で広幅部分が凹部の狭幅部分を通過可能となる凸部が備えられ、
凸部には、厚みの中間に溝が設けられ、凹部が溝に挿入される、
ことを特徴とする。
【００１４】
また本発明で、前記スライダー基体には、前記凸部の溝および前記垂下部の溝とともに、前記二枚のブレードで前記結合部の前方となる中間部を収容する溝が、前記針溝の下方に開口して形成されている
ことを特徴とする。
【発明の効果】
【００１５】
本発明によれば、スライダーでは、ブレードの尾端部がスライダー基体の垂下部の厚みの中間に設ける溝に係合して、ブレードの尾部を、結合部とともに長手方向の両側で、スライダー基体によって両持ち状態で支持することができ、尾端部の振れを防止することができる。尾部のうち少なくとも一方には、下方に突出する案内突起を設け、針本体に設ける溝に嵌合させるので、複合針を針溝に挿入する際などに、スライダーが幅方向に脱落することを防止することができる。本発明では、このような簡単な構造で、針溝への挿入時などに、ブレードなどが幅方向に曲って損傷を受けないようにすることができる。
【００１６】
また本発明によれば、スライダー基体と二枚のブレードとの結合部で、二枚のブレード側に凹部を設ける。凹部は、スライダー基体側に開口し、前後方向の両端から下方に延びる側壁を有し、側壁間の幅が開口端の幅よりも狭い狭幅部分を有する。スライダー基体側に設ける凸部は、前後方向の幅が凹部の狭幅部分よりも広い広幅部分が設けられ、凹部に上方から挿入されて結合し、挿入の途中で、凹部の弾性変形で広幅部分が凹部の狭幅部分を通過可能となる。挿入時に弾性変形するので、挿入後は凸部と凹部とを十分な強度で結合させることができる。挿入時と逆の弾性変形で結合を解除すれば、スライダー基体から二枚のブレードを取外すことも可能となる。凸部には、厚みの中間に溝が設けられ、凹部が溝に挿入される。凹部で二枚のブレードが重なる部分を、スライダー基体側に設ける凸部の先端の溝で挟むので、結合部分からブレードが幅方向に抜けないようにすることができる。ブレードの尾部が尾端部で振れを抑えるので、凸部の先端の溝も、針溝への挿入時に発生する幅方向の力で損傷を受けないようにすることができる。
【００１７】
また本発明によれば、スライダー基体を下方から切削加工して、前部、凸部および垂下部の三つの溝を同一の工程で形成することができる。
【図面の簡単な説明】
【００１８】
【図１】図１は、本発明の一実施例としての複合針１１の主要部分の構成を示す側面図、断面図および底面図である。
【図２】図２は、図１の複合針１１を構成部品に分解した状態を示す側面図である。
【図３】図３は、図２のスライダー基体１５の部分的な側面図および底面図、ならびに針本体１３の部分的な平面図および側面図である。
【図４】図４は、図１の結合部１８の構成を示す、スライダー基体１５の部分的な側面図および断面図、ならびにブレード１７の部分的な側面図および断面図である。
【図５】図５は、図１の複合針１１で、スライダー１４が針本体１３に対して最も後退している状態、およびスライダー１４のタング１６ａ，１７ａで針本体１３のフック１３ａを閉じている状態を、それぞれ示す側面図である。
【図６】図６は、従来から横編機に使用されている複合針１の例を示す側面図である。
【発明を実施するための形態】
【００１９】
以下、図１〜図５で、本発明の一実施例としての複合針１１の構成を示す。本実施例の複合針１１で、図６の複合針１に対応する部分には、１０位の数値のみが異なり、他は同一の参照符を付して、重複する説明を省略する場合がある。また、説明対象の図面には記載されていない部分について、他の図面に記載される参照符を付して言及する場合がある。
【実施例】
【００２０】
図１（ａ）は、本発明の一実施例の複合針１１に対し、主要部分の構成を示す。複合針１１は、図６の複合針１と同様に、横編機に備えられる針床の針溝に挿入して使用される。後述するように、複合針１１も、針本体１３とスライダー１４とが組合わされた状態で、針溝に収容される。針本体１３は前部にフック１３ａを有する。スライダー１４は、スライダー基体１５と二枚のブレード１６，１７との組合せであり、各ブレード１６，１７は、フック１３ａを幅方向の両側から挟むように開閉するタング１６ａ，１７ａを前部に有して、後方の結合部１８でスライダー基体１５に結合される。
【００２１】
図１（ａ）に示すスライダー基体１５は、二枚のブレード１６，１７との結合状態で、結合部１８よりも後方から針本体１３側に垂下する垂下部１５ａを有する。垂下部１５ａには、下部に、厚みの中間で前後方向に延びる溝１５ｂが設けられる。各ブレード１６，１７は、結合部１８よりも後方の尾部１６ｃ，１７ｃに、垂下部１５ａの溝１５ｂに係合する尾端部１６ｆ，１７ｆを有する。このような簡単な構造で、本実施例のスライダー１４では、ブレード１６，１７の尾部１６ｃ，１７ｃに対し、結合部１８と溝１５ｂへの尾端部１６ｆ，１７ｆの係合部分とで、スライダー基体１５が両持ち状態で支持することができ、針溝への挿入時に、尾部１６ｃ，１７ｃなどが幅方向に曲がりやすくならないようにすることができる。尾部１６ｃ，１７ｃのうちの少なくとも一方に下方に突出する案内突起１６ｄを設けて針本体１３の溝１３ｃに係合させるので、複合針１１を針溝に挿入する際などに、スライダー１４が針本体１３に対して幅方向に脱落するのを防止することができる。ファインゲージ化で、ブレード１６，１７の厚みが薄くなっても、尾部１６ｃ，１７ｃはスライダー基体１５に両持ち状態で支持されるので、曲りにくくなり、案内突起１６ｄも損傷を受けにくくすることができる。
【００２２】
図１（ｂ）および図１（ｃ）は、図１（ａ）の切断面線Ｂ−ＢおよびＣ−Ｃから見た断面構成を、それぞれ示す。図１（ｂ）の構成では、一方のブレード１６に設ける案内突起１６ｄを幅方向の中央で下方に突出させ、針本体１３に設ける溝１３ｃに係合させるために、オフセットを設けて中央に寄せている。図１（ｃ）の構成では、後述するように、スライダー基体１５の凸部１５ｃおよび溝１５ｄとブレード１６，１７の凹部１６ｅ，１７ｅとは、結合と取外しとが可能な結合部１８を形成している。
【００２３】
図１（ｄ）は、スライダー基体１５の垂下部１５ａについて、底部の構成を示す。幅方向の中間に、前後方向に延びる溝１５ｂが設けられている。この溝１５ｂに、ブレード１６，１７の尾端部１６ｆ，１７ｆを係合させる。
【００２４】
図２は、図１の複合針１１を構成部品としての針本体１３、スライダー基体１５、二枚のブレード１６，１７およびジャック１９に分解した状態を示す。スライダー基体１５には、前部にも溝１５ｅが設けられる。二枚のブレード１６，１７は、一方にのみ案内突起１６ｄが設けられる点を除いて、紙面に平行な面に関して対称な形状を有する。他方のブレード１７にも同様な案内突起を設けることもできる。二枚のブレード１６，１７の前部のタング１６ａ，１７ａ付近には、前案内部１６ｂ，１７ｂが設けられる。タング１６ａ，１７ａと凹部１６ｅ，１７ｅとの間、すなわち結合部１８の前方となる中間部１６ｇ，１７ｇで、二枚のブレード１６，１７は、スライダー基体１５の溝１５ｅに収容される。針本体１３の前部には、前案内部１６ｂ、１７ｂを前後方向に案内し、底面がカム面となって、タング１６ａ，１７ａを上下にも駆動する溝１３ｂが設けられている。針本体１３の後部には、ジャック１９の先端部１９ａが嵌合する凹部１３ｄと、スライダー基体１５の垂下部１５ａの後端１５ｆが嵌合する凹所１３ｅが設けられている。
【００２５】
図３は、図２のスライダー基体１５および針本体１３の部分的な構成を、それぞれ示す。図３（ａ）（ｂ）に示すように、スライダー基体１５の前部、凸部１５ｃおよび垂下部１５ａには、底面側に開口する溝１５ｅ，１５ｄ，１５ｂがそれぞれ設けられる。開口する方向が同一であるので、スライダー基体１５を下方から切削加工する同一の工程で形成することができる。結合部１８では、溝１５ｄの溝幅がブレード１６，１７二枚分の厚みと同等であることが好ましい。三つの溝１５ｂ，１５ｄ，１５ｅを同一の溝幅する場合は、加工をより簡素に行うことができる。図３（ｃ）（ｄ）に示すように、針本体１３には、上面に開口する溝１３ｃが設けられ、案内突起１６ｄを係合させることができる。溝１３ｃが開口する周囲の面には、スライダー基体１５の凸部１５ｃおよび垂下部１５ａの下端面を当接させ、前後方向の摺動時に支持させることができる。
【００２６】
図４は、図１の結合部１８の構成を示す。図４（ａ）は、スライダー基体１５の凸部１５ｃ付近の部分的な側面構成を示し、図４（ｂ）は、図４（ａ）の切断面線Ｂ−Ｂから見た断面構成を示す。図４（ｃ）は、ブレード１６の凹部１６ｅ付近の側面構成を示し、図４（ｄ）は、図４（ｃ）の切断面線Ｄ−Ｄから見た断面構成を示す。
【００２７】
スライダー基体１５と二枚のブレード１６，１７との結合部１８では、ブレード１６，１７に、凹部１６ｅ，１７ｅが備えられる。ブレード１６の凹部１６ｅは、スライダー基体１５側に開口し、前後方向の両端から下方に延びる側壁を有し、側壁間の幅が開口端の幅よりも狭い狭幅部分１６ｈが設けられる。ブレード１７にも、凹部１７ｅに同様な狭幅部分が設けられる。スライダー基体１５に備えられる凸部１５ｃには、前後方向の幅が凹部１６ｅ，１７ｅの狭幅部分１６ｈよりも広い広幅部分１５ｆが設けられ、凹部１６ｅ，１７ｅに上方から挿入されて結合し、挿入の途中で、弾性変形で広幅部分１５ｆが狭幅部分１６ｈを通過可能となる。
【００２８】
結合部１８では、スライダー基体１５の凸部１５ｃで、厚みの中間に設けられる溝１５ｄに、二枚のブレード１６，１７の凹部１６ｅ，１７ｅが挿入される。挿入時に弾性変形するので、挿入後は凸部１５ｃと凹部１６ｅ，１７ｅとを十分な強度で結合させることができ、挿入と逆方向に抜けば、結合の解除も可能となる。また、凹部１６ｅ，１７ｅで二枚のブレード１６，１７が重なる部分を、スライダー基体１５側に設ける凸部１５ｃの先端の溝１５ｄで挟むので、結合部１８からブレード１６，１７が幅方向に抜けないようにすることができる。スライダー基体１５の板厚が薄くなると、凸部１５ｃで溝１５ｄが設けられる部分の強度も低下し、針溝への挿入時に、ブレード１６，１７の尾部１６ｃ，１７ｃに幅方向の大きな力が加わると損傷を受けるおそれがある。尾部１６ｃ，１７ｃの尾端部１６ｆ，１７ｆを垂下部１５ａの溝１５ｂに係合させて振れを抑えることで、溝１５ｄも損傷を受けないようにすることができる。
【００２９】
図５は、図１の複合針１１で、スライダー１４が針本体１３に対して最も後退している状態を（ａ）で、スライダー１４のタング１６ａ，１７ａで針本体１３のフック１３ａを閉じている状態を（ｂ）で、それぞれ示す。図５（ａ）に示すように、スライダー基体１５の垂下部１５ａの後端１５ｆは、針本体１３の凹所１３ｅに嵌合し、針本体１３とスライダー１４とが上下方向に離れないようにしている。これによって、複合針１１を針溝に挿入する作業を、針本体１３とスライダー１４とが確実に組合わされている状態で行うことができる。
【００３０】
本実施例の結合部１８では、スライダー基体１５の凸部１５ｃと二枚のブレード１６，１７の凹部１６ｅ，１７ｅとの結合を、弾性変形を伴う挿入で行い、かしめによる固定は行っていないので、結合を解除して分解することもできる。特許文献１や特許文献２と同様に、スライダー基体１５とブレード１６，１７とを、かしめなどで固定してもよい。いずれにしても、本発明を適用すれば、ブレード１６，１７の尾部１６ｃ，１７ｃの幅方向への振れを抑えて、尾部１６ｃ，１７ｃ、尾部１６ｃ，１７ｃに設ける案内突起１６ｄなどが損傷を受けないようにすることができる。
【符号の説明】
【００３１】
１１  複合針
１３  針本体
１３ｂ，１３ｃ，１５ｂ，１５ｄ，１５ｅ  溝
１４  スライダー
１５  スライダー基体
１５ａ  垂下部
１５ｃ  凸部
１５ｆ  広幅部分
１６，１７  ブレード
１６ｃ，１７ｃ  尾部
１６ｄ  案内突起
１６ｅ，１７ｅ  凹部
１６ｆ，１７ｆ  尾端部
１６ｇ，１７ｇ  中間部
１６ｈ  狭幅部分
１８  結合部
【図１】
2013241698.tif 000003
【図２】
2013241698.tif 000004
【図３】
2013241698.tif 000005
【図４】
2013241698.tif 000006
【図５】
2013241698.tif 000007
【図６】
2013241698.tif 000008